(57)【特許請求の範囲】
【請求項１】
竿体に釣用リールを脱着自在に装着するためのリールシートであって、
前記竿体の周面に設けられ８ｍｍ以上１２ｍｍ以下のリードを有する雄ネジ部と、
前記雄ネジ部から軸方向に間隔を隔てて前記竿体の周面に設けられ、前記釣用リールの脚部の一端を係止可能な固定係止部と、
前記雄ネジ部に螺合可能であり前記雄ネジ部を軸方向に移動自在なナット部と、
前記固定係止部と前記ナット部との間の前記竿体の周面上に軸方向に移動自在に配置され、前記釣用リールの脚部の他端を係止可能な可動係止部と、
前記ナット部の緩みを防止する緩み止め手段と、
を備え、
前記緩み止め手段は、
前記可動係止部の内周面又は前記ナット部の外周面の少なくとも一方に設けられ、前記ナット部を前記固定係止部の方向へ締め込む際に前記可動係止部の内周面が前記ナット部の外周面を圧接するように前記固定係止部から離反する方向に向けて軸径が増大しているテーパ部と、
前記ナット部の可動係止部側の先端部に設けられたスリットと、
からなる、
リールシート。
【発明の詳細な説明】
【０００１】
【発明の属する技術分野】
本発明は、竿体に釣用リールを脱着自在に装着するためのリールシート、特に、ナット部を有しこれを本体部に螺合することでリールをリールシートに取り付けるナット式リールシートに関する。
【０００２】
【従来の技術】
釣竿には釣用リールを取り付けるためのリールシートが設けられているが、このリールシートの一つに「ナット式」と呼ばれるものがある。この「ナット式」リールシートは固定係止部、雄ネジ部を有する本体部、可動係止部およびナット部で構成されている。固定係止部は、釣竿本体に固定され、リール脚部の一端を覆いながら係止する部分である。また、ナット部は、雄ネジ部に螺合しており、回転することにより釣竿本体上を軸方向に移動する部分である。可動係止部は、リール脚部の他端を覆いながら係止する部分であり、固定係止部とナット部の間に配置され、釣竿本体上を軸方向に移動可能である。
【０００３】
このようなリールシートに対しては以下のようにして釣用リールを取り付ける。
【０００４】
まず、釣用リールの脚部の一端を固定係止部に取り付ける。その後、ナット部を回転させ固定係止部の方向に移動させることにより、可動係止部を釣用リールの脚部の他端に近づける。可動係止部を釣用リールの脚部の他端を覆う位置まで移動させた後、さらにナット部を回転させ、固定係止部とナット部に支えられた可動係止部で釣用リールの脚部を挟み込んで固定する。
【０００５】
釣竿から釣用リールを取り外す場合は、取り付ける場合とは逆方向にナット部を回転させる。これにより固定係止部とナット部の挟み込みを解除し、可動係止部を固定係止部から遠ざける方向に移動させる。釣用リールの脚部の他端が自由に動かせる位置まで可動係止部を移動させた後、釣用リールを釣竿から取り外す。
【０００６】
【発明が解決しようとする課題】
このようなナット式リールシートは、可動係止部が釣用リールの脚部を覆った状態からナットをさらにねじ込んで釣用リールの脚部を十分に係止させることができるものであり、リールシートを安定した状態で固定し得るものである。釣用リールを取り付ける場合には、可動係止部が釣用リールの脚部を覆う位置に移動するまでナット部を回転させる必要があるが、従来のリールシートでは雄ネジ部のリードが２〜３ｍｍとされていたためナット部を何度も回転させる必要があった。このため、釣り用リールを取り付ける際に煩わしさを感じさせる場合もあった。釣用リールを取り外す場合も同様であった。
【０００７】
本発明の課題は、ナット式リールシートにおいて釣用リールの脱着時に必要なナット部の回転数を低減させ、釣用リール脱着時の煩わしさを軽減させることにある。
【０００８】
【課題を解決するための手段】
請求項１に係るリールシートは、竿体に釣用リールを脱着自在に装着するためのリールシートであって、雄ネジ部、固定係止部、ナット部、可動係止部及びナット部の緩みを防止する緩み止め手段を有している。雄ネジ部は、竿体の周面に設けられ、８ｍｍ以上１２ｍｍ以下のリードを有している。固定係止部は、釣用リールの脚部の一端を係止することができる部分であり、雄ネジ部から軸方向に間隔を隔てて竿体の周面に設けられている。ナット部は、雄ネジ部に螺合可能であり、雄ネジ部を軸方向に自在に移動することができる。可動係止部は、釣用リールの脚部の他端を係止することができる部分であり、固定係止部とナット部との間の竿体周面上に配置され、軸方向に自在に移動することができる。そして、このリールシートは、可動係止部の内周面又はナット部の外周面の少なくとも一方に設けられたテーパ部とナット部の可動係止部側の先端部に設けられたスリットとを緩み止め手段として備えている。このテーパ部は、ナット部を固定係止部の方向へ締め込む際に可動係止部の内周面がナット部の外周面を圧接するようにナット部が固定係止部から離反する方向に向けて軸径が増大している。
【０００９】
このリールシートは、雄ネジ部のリードが従来よりも大きい８mm以上１２mm以下とされているため、ナット部の１回転あたりの軸方向への移動距離が従来よりも大きくなっている。このため、釣用リールの脱着時に必要なナット部の回転数を従来よりも低減させることができ、釣用リール脱着時の煩わしさを軽減させることが可能となっている。
【００１０】
なお、雄ネジ部のリードが大きくなると、ナット部の締め付けに緩みが生じ易くなる。そこで、このリールシートでは、緩み止め手段を設けることにより、ナット部を緩み難くしている。これにより、釣用リール脱着時の煩わしさを軽減させながら、ナット部の緩みを防止することが可能となっている。すなわち、このリールシートでは、釣用リールを取り付ける際、可動係止部が釣用リールの脚部を覆った状態からさらにナット部を締め込むときに可動係止部の内周面からナット部の外周面へ反力が加わる。このとき、可動係止部の内周面又はナット部の外周面のいずれか一方にテーパ部が設けられ、このテーパ部は固定係止部に離反する方向に向けて軸径が増大しているため、可動係止部の内周面がナット部の外周面を圧接する。ナット部の可動係止部側の先端部にはスリットが設けられているためナット部の圧接によりナット部の先端部が縮径し雄ネジ部に押し付けられる。このため両者間の摩擦力が増大し、ナット部が緩み難くなっている。これにより、釣用リール脱着時の煩わしさを軽減させながら、ナット部の緩みを防止することが可能となっている。
【００１１】
【発明の実施の形態】
＜第１実施形態＞
〔構成〕
本発明の第１実施形態に係るリールシート４を採用した釣竿１を図１に示す。
【００１２】
釣竿１は、外部竿本体２と、外部竿本体２の穂先側に外部竿本体２内に振出形式で収納可能なように連結された複数の内部竿本体３とを有している。
【００１３】
外部竿本体２は、先細り筒状の竿本体２ａと、竿本体２ａの竿尻側端部に設けられたグリップ６と、グリップ６よりやや穂先側の外周面に設けられ釣用リール５が装着可能なリールシート４と、リールシート４の穂先側の外周面に設けられ釣用リール５からの釣糸Ｌを竿本体内部に挿入する釣糸導入孔８とを有している。内部竿本体３は、複数の竿本体が順次挿入して収納可能になっており、穂先側先端にはトップガイド７が設けられている。そして、釣用リール５から導かれた釣糸Ｌは、釣糸導入孔８から外部竿本体２及び内部竿本体３内に導入され、トップガイド７から外部へ導かれる。
【００１４】
リールシート４は、図２に示すように、竿本体２ａの外周面に配置され釣用リール５の脚部５ａを釣竿１に固定可能なものである。リールシート４は、雄ネジ部１１と、雄ネジ部１１から離反して設けられた固定フード（固定係止部の一例）１２と、可動フード（可動係止部の一例）２０と、ナット部３０とを有している
雄ネジ部１１は、竿本体２ａの外周面に竿本体２ａと一体形成されている。雄ネジ部１１のリードは１０ｍｍとなっている。また雄ネジ部１１の軸方向長さは、釣用リール５の脚部５ａの大きさに合わせて、脚部５ａに係止可能な位置と係止解除可能な位置との間で可動フード２０を移動できるような長さになっている。
【００１５】
固定フード１２は、雄ネジ部１１の竿先側に雄ネジ部１１と離反して設けられ、釣用リール５の脚部５ａの一端を係止可能な先細りの凹部１２ａを内部に有している。固定フード１２は、竿本体２ａの外周面に固定されており、竿本体２ａと一体的に形成されている。
【００１６】
可動フード２０は、固定フード１２と間隔を隔てて雄ネジ部１１の固定フード側に配置されており、竿本体２ａの周面に軸方向移動自在に装着されている。可動フード２０は、たとえば金属製の部材であり、釣用リール５の脚部５ａの他端を係止するためのリール係止部２１と、リール係止部２１と一体形成された筒状部２２と、筒状部の先端に形成された噛合部２３を備えている。リール係止部２１は、固定フード１２に向かって筒状部２２から拡がった形状の部材であり、固定フード１２の凹部１２ａに対向する位置に脚部５ａの他端を挿入可能な先拡がりの凹部２１ａを有している。噛合部２３は、図３（ａ）に示すように固定フード１２から離反する方向に向かって軸径が増大するテーパ部２３ａを内周面に有しており、テーパ部２３ａに隣接して凹部２３ｂを有している。
【００１７】
ナット部３０は、内周面に形成され雄ネジ部１１に螺合する雌ネジ部３１と、先端に形成され可動フード２０の噛合部２３と嵌合する噛合部３２とを備えている。また、ナット部３０の先端部には図２及び図４に示すようにスリット３３が設けられている。噛合部３２は、図３（ａ）に示すように、固定フード１２に離反する方向に向かって軸径が増大するテーパ部３２ａを外周面に有し、先端には可動フード２０の凹部２３ｂに係合する凸部３２ｂを有している。この噛合い部３２のテーパ部３２ａは、可動フード２０の噛合部２３のテーパ部２３ａと内接している。
【００１８】
〔リールシートの使用〕
次に、リールシート４へ釣用リール５を脱着する操作について説明する。
【００１９】
リールシート４に釣用リール５を装着する際には、まず、脚部５ａが固定フード１２と可動フード２０との間に入るようにナット部３０を緩み方向に回転させる。ナット部３０を緩み方向に回転させると、ナット部３０が固定フード１２から離反する方向に後退する。このとき、可動フード２０の凹部２３ｂがナット部３０の凸部３２ｂと係合しているため、可動フード２０もナット部３０と共に後退する。固定フード１２と可動フード２０との間に脚部５ａが入るようになるまで可動フード２０を後退させた後、脚部５ａを固定フード１２と可動フード２０との間に入れる。次に、ナット部３０を締り方向に回転させる。ナット部３０を締り方向に回転させると、ナット部３０が固定フード１２の方向に前進する。このとき、可動フード２０のテーパ部２３ａとナット部３０のテーパ部３２ａとが内接しているため、可動フード２０もナット部３０に押されて固定フード１２の方向に前進する。この結果、両フード１２，２０によって挟持され釣用リール５がリールシート４に装着される。
【００２０】
一方、リールシート４から釣用リール５を取り外す際には、まず、脚部５ａが固定フード１２と可動フード２０との間から抜けるようにナット部３０を緩み方向に回転させる。ナット部３０を緩み方向に回転させると、ナット部３０が固定フード１２から離反する方向に後退する。このとき、前述したように可動フード２０もナット部３０と共に後退する。脚部５ａが取り外せるようになる位置に可動フード２０が来るまでナット部３０を回転させた後、脚部５ａを両フード１２，２０間から取り外す。
【００２１】
〔特徴〕
本実施形態に係るリールシート４では、雄ネジ部１１のリードが１０ｍｍであるため、ナット部３０が１回転した時の軸方向への移動距離が従来よりも大きくなっている。このため、釣用リール５の脱着時に必要なナット部３０の回転数が従来よりも低減されており、脱着時の煩わしさが軽減されている。
【００２２】
また、雄ネジ部１１のリードを大きくした場合には、それに伴いナット部３０の締め付けに緩みが生じ易くなる場合があるが、本リールシート４では以下のようにして緩みが生じるのを防止している。
【００２３】
本リールシート４では釣用リール５を取り付ける際、可動フード２０が釣用リール５の脚部５ａを覆った状態からさらにナット部３０を締め込むときに可動フード３０の内周面からナット部の外周面へ反力が加わる。このとき可動フード２０の噛合部２３及びナット部３０の噛合部３２にそれぞれテーパ部２３ａ，３２ａを設けているため、このテーパ部２３ａ，３２ａを介して可動フード２０からナット部３０へとその反力が伝わる。このため可動フード２０側のテーパ部２３ａはナット部３０側のテーパ部３２ａを圧接する。そして、ナット部３０の先端にはスリット３３が形成されているために、テーパ３２ａの圧接によりナット部３０の先端部が縮径し雄ネジ部１１に抑え付けられる。このためナット部３０と雄ネジ部１１の間の摩擦力が大きくなり、ナット部３０が緩み難くなっている。
【００２４】
なお、本実施例では可動フード２０とナット部３０と雄ネジ部１１とがリール５の竿尻側に配置され、固定フード１２が竿先側に配置されているが、釣用リール５の竿先側に可動フード２０とナット部３０と雄ネジ部１１とを配置し、竿尻側に固定フード１２を配置してもよい。
【００２５】
また、本実施例では可動フード２０とナット部３０との両方にテーパ部２３ａ，３２ａが設けられているが、図３（ｂ）に示すように、可動フード２０にテーパ部２３ａを設け、ナット部３０にテーパ部２３ａと内接する段部３２ｃを設けてもよい。さらに、図３（ｃ）に示すように、ナット部３０にテーパ部３２ａを設け、可動フード２０にテーパ部３２ａと内接する段部２３ｃを設けてもよい。
【００２６】
＜参考例＞
本発明の参考例に係るリールシート４は、緩み止め手段としてネジ部にゴム１１０が埋め込まれた雄ネジ部１１を有している。本実施形態に係るリールシート４の雄ネジ部１１を図５（ａ），（ｂ）に示す。ゴム１１０は雄ネジ部１１のネジ山の幅よりも大きく、ネジ山の表面から突出する凸部１１０ａを有している。
【００２７】
ナット部３０により釣用リール５の脚部５ａを固定している場合、雄ネジ部１１とナット部３０の雌ネジ部３１が螺合し、両者間に摩擦力が発生している。本雄ネジ部１１には凸部１１０ａが存在するため、凸部１１０ａがない場合と比べてこの摩擦力が大きくなっている。このためナット部３０が緩み難くなっており、ナット部３０の緩みを防止している。
【００２８】
なお、本参考例では雄ネジ部１１にゴム１１０を埋め込んでいるが、図６（ａ），（ｂ）に示すように雄ネジ部１１の表面にゴム製の突起１１１を設けてもよい。また図７（ａ），（ｂ）に示すように雄ネジ部１１の表面から突出するゴム１１２を雄ネジ部１１に埋め込んでもよい。
【００２９】
【発明の効果】
本発明に係るリールシートは、雄ネジ部のリードが従来よりも大きい８mm以上１２mm以下とされているため、ナット部の１回転あたりの軸方向への移動距離が従来よりも大きくなっている。このため、釣用リールの脱着時に必要なナット部の回転数を従来よりも低減させることができ、釣用リール脱着時の煩わしさを軽減させることが可能となっている。
【図面の簡単な説明】
【図１】  本発明の第１実施形態を採用した釣竿の全体図。
【図２】  図１のリールシート付近の拡大断面図。
【図３】（ａ）（ｂ）（ｃ）  図２の噛合部２３，３２の拡大図。
【図４】  図２のＡ−Ａ断面図。
【図５】  （ａ）本発明の参考例を採用した雄ネジ部の図。
（ｂ）図５（ａ）のＢ−Ｂ断面図。
【図６】  （ａ）本発明の参考例を採用した雄ネジ部の図。
（ｂ）図６（ａ）のＢ−Ｂ断面図。
【図７】  （ａ）本発明の参考例を採用した雄ネジ部の図。
（ｂ）図７（ａ）のＢ−Ｂ断面図。
【符号の説明】
１      釣竿
５      釣用リール
５ａ    釣用リールの脚部
４      リールシート
１１    雄ネジ部
１２    固定係止部
３０    ナット部
２０    可動係止部
３２ａ  ナット部のテーパ部
２３ａ  可動係止部のテーパ部
１１０ａ  雄ネジ部に設けられた凸部
【図１】
0003921066.tif 000002
【図２】
0003921066.tif 000003
【図３】
0003921066.tif 000004
【図４】
0003921066.tif 000005
【図５】
0003921066.tif 000006
【図６】
0003921066.tif 000007
【図７】
0003921066.tif 000008